(57)【要約】【課題】複数の餌落ち穴とそれらを個別に開閉する蓋部材を設けて、餌の繰り出しに変化、難易度を設けることができるようにする。【解決手段】  略半球形状の外面を有しかつ餌を収納可能な下殻体３と、この下殻体３の上部に着脱自在に装着されかつ餌を繰り出し可能な餌落ち穴Ｆを有する上殻体４とを備えている。前記上殻体４はエラストマで形成されていて、餌落ち穴Ｆは複数形成され、各餌落ち穴Ｆには穴開閉用の蓋５が設けられている。【選択図】図１
2018126106.tif 000002
【特許請求の範囲】
【請求項１】
略半球形状の外面を有しかつ餌（Ｅ）を収納可能な下殻体（３）と、この下殻体（３）の上部に着脱自在に装着されかつ餌（Ｅ）を繰り出し可能な餌落ち穴（Ｆ）を有する上殻体（４）とを備えており、
前記上殻体（４）はエラストマで形成されていて、餌落ち穴（Ｆ）は複数形成され、各餌落ち穴（Ｆ）には穴開閉用の蓋（５）が設けられていることを特徴とするペット用玩具。
【請求項２】
前記複数の餌落ち穴（Ｆ）は上殻体（４）の頂部から略等距離の位置に周方向等間隔に配置されており、前記各蓋（５）は餌落ち穴（Ｆ）の周囲部と連結部（６）を介して一体成形されており、上殻体（４）の内面側に蓋（５）を上殻体（４）内部に折り曲げた状態で掛止する掛止部（７ａ）を設けていることを特徴とする請求項１に記載のペット用玩具。
【請求項３】
上殻体（４）の内面頂部に下方突出状の突起（７）が設けられ、この突起（７）の外周面に前記掛止部（７ａ）が形成されていることを特徴とする請求項２に記載のペット用玩具。
【請求項４】
前記上殻体（４）は外面が略半団栗形状又は略半球形状であり、
前記下殻体（３）はエラストマで上殻体（４）より厚肉でかつ大重量に形成されていることを特徴とする請求項１〜３のいずれか１項に記載のペット用玩具。
【発明の詳細な説明】
【技術分野】
【０００１】
本発明は、ペットが遊びながら餌を取り出せるペット用玩具に関する。
【背景技術】
【０００２】
ペット用の餌を収納し、ペットが遊びながら餌を食することのできるペット用知育玩具として、特許文献１に記載されたものがある。この玩具は、動物用の餌を外部に繰り出す外部繰出孔を備えた透明又は半透明の上殻体と、姿勢保持用の錘を備えた下殻体とが着脱自在に結合されて転動可能な外面形状を有する本体が構成されている（請求項１）。
また、ペット用知育玩具として特許文献２に記載されたものは、その形状形態において、筒形の形状を有する容器本体の両凹型湾曲部の形状は、容器本体の内側方向に、それぞれ凹型の湾曲面を有し、その容器に入れたところのペット用餌、又は、おやつが安易に転がり出ないところの形状を有し、且つ、それらの両凹型湾曲面部の中心部にペット用餌、又は、おやつの一粒大もしくは、一片大が出し入れできる大きさの穴を設けている（請求項１）。
【先行技術文献】
【特許文献】
【０００３】
【特許文献１】特許第４４１３９６２号公報
【特許文献２】実用新案登録第３１０３３５７号公報
【発明の概要】
【発明が解決しようとする課題】
【０００４】
前記前者従来技術は、起き上がりこぼし構造で知育に効果的であるが、上殻体には頂部に１つの外部繰出孔が形成されているだけで、その餌の繰り出しに変化を設けることは困難になっている。
前記後者従来技術は、容器本体の両端にそれぞれペット用餌出し入れ穴が設けられているが、出し入れ穴は常に開放されたままであるので、餌の繰り出しに難易度を設けることは困難になっている。
【０００５】
本発明は、このような従来技術の問題点を解決できるようにしたペット用玩具を提供することを目的とする。
本発明は、複数の餌落ち穴とそれらを個別に開閉する蓋部材を設けて、餌の繰り出しを変更できるようにしたペット用玩具を提供することを目的とする。
【課題を解決するための手段】
【０００６】
本発明における課題解決のための具体的手段は、次の通りである。
第１に、略半球形状の外面を有しかつ餌Ｅを収納可能な下殻体３と、この下殻体３の上部に着脱自在に装着されかつ餌Ｅを繰り出し可能な餌落ち穴Ｆを有する上殻体４とを備えており、前記上殻体４はエラストマで形成されていて、餌落ち穴Ｆは複数形成され、各餌落ち穴Ｆには穴開閉用の蓋５が設けられていることを特徴とする。
【０００７】
第２に、前記複数の餌落ち穴Ｆは上殻体４の頂部から略等距離の位置に周方向等間隔に配置されており、前記各蓋５は餌落ち穴Ｆの周囲部と連結部６を介して一体成形されており、上殻体４の内面側に蓋５を上殻体４内部に折り曲げた状態で掛止する掛止部７ａを設けていることを特徴とする。
第３に、上殻体４の内面頂部に下方突出状の突起７が設けられ、この突起７の外周面に前記掛止部７ａが形成されていることを特徴とする。
【０００８】
第４に、前記上殻体４は外面が略半団栗形状又は略半球形状であり、前記下殻体３はエラストマで上殻体４より厚肉でかつ大重量に形成されていることを特徴とする。
【発明の効果】
【０００９】
本発明によれば、餌の繰り出しに変化、難易度を設けることができる。
即ち、請求項１に係る発明は、上殻体４の複数の餌落ち穴Ｆに蓋５が設けられているので、蓋５を開放する餌落ち穴Ｆの個数及び位置を選択することにより、餌の落下量、位置等を変更して、餌の繰り出しに変化、難易度を設けることができる。
請求項２に係る発明は、各蓋５は餌落ち穴Ｆの周囲部と連結部６を介して一体成形されており、上殻体４の内面側に蓋５を上殻体４内部に折り曲げた状態で掛止する掛止部７ａを設けているので、餌落ち穴Ｆの開閉を簡単に行うことができ、蓋５の紛失を生じなくできる。
【００１０】
請求項３に係る発明は、上殻体４の内面頂部の突起７の外周面に掛止部７ａが形成されているので、複数の餌落ち穴Ｆ用の蓋５の開放維持を１つの突起７だけで略均等に行うことができる。
請求項４に係る発明は、上殻体４は外面が略半団栗形状又は略半球形状であり、下殻体３はエラストマで上殻体４より厚肉でかつ大重量に形成されているので、音が鳴り難くかつよく動く起き上がりこぼしとして簡単かつ容易に製作できる。
【図面の簡単な説明】
【００１１】
【図１】本発明の実施形態を示す玩具の正面図である。
【図２】同平面図である。
【図３】同斜視図である。
【図４】図１のＸ−Ｘ線断面図である。
【図５】図１のＹ−Ｙ線断面図である。
【図６】玩具の右側面図である。
【図７】同背面図である。
【図８】同底面図である。
【発明を実施するための形態】
【００１２】
以下、本発明の実施の形態を図面に基づいて説明する。
図１〜８において、猫、犬等のペットが遊びながら餌を取り出せる玩具１を示している。この玩具１は下殻体３と上殻体４とで構成され、上下殻体３、４は共にエラストマ（ゴム状弾性を示す高分子物質、ＴＰＲ、ＴＰＥ、シリコン等）で形成されており、全体外形状が転動可能な略団栗形状になっていて、起き上がりこぼし動作を実現できる形状である。
【００１３】
前記下殻体３は図１、４に示す如く、略半球形状の外面を有し、内部が上方開放の空洞であり、餌Ｅを収納可能になっており、上殻体４より厚肉（肉厚Ｔ）でかつ大重量に形成されていて、起き上がりこぼしの底部の錘を兼ねている。この下殻体３の上部の開口部の周囲には環状の外向き係合部３ａが形成されている。
前記上殻体４は外面が略半団栗形状又は略半球形状（略半卵形状を含む。）であり、内部が下方開放の空洞であり、餌Ｅを収納可能になっている。この上殻体４の下部の開口部の周囲には環状の内向き係合部４ａが形成されており、この内向き係合部４ａの外周面は下側から上側へ径が縮小するテーパ面４ｂとなっている。
【００１４】
上殻体４は下部の内向き係合部４ａのテーパ面４ｂを下殻体３の上部の外向き係合部３ａに押し当てながら嵌合していくと、内向き係合部４ａを外向き係合部３ａに係合させることができ、上殻体４の下部を下殻体３の上部に着脱自在に装着することができる。
上殻体４には餌Ｅを繰り出し可能な餌落ち穴Ｆが複数（実施形態では３つ）形成されている。この３つの餌落ち穴Ｆは上殻体４の頂部から略等距離の位置に周方向等間隔（例えば、１２０度間隔）に配置されている。前記餌落ち穴Ｆの大きさは、玩具１を転がしたときに内部の餌Ｅが１粒ずつ落下できる大きさに設定されており、少なくとも人の小指が挿入できる大きさである。
【００１５】
前記各餌落ち穴Ｆには穴開閉用の蓋５が設けられている。この各蓋５は餌落ち穴Ｆの周囲部と連結部６を介して一体成形されており、連結部６で曲げることにより、蓋５を上殻体４の内側又は外側へ押し動かして、餌落ち穴Ｆを開放することが可能になる。
即ち、上殻体４の壁面にＣ型切れ目Ａと、このＣ型切れ目Ａの両端から上方へ延びる平行線切れ目Ｂを入れることにより、蓋５と連結部６とを上殻体４に一体成形しており、連結部６はエラストマの弾性を有し、上殻体４から内外方向に柔軟に屈曲することができる。
【００１６】
前記Ｃ型切れ目Ａ及び平行線切れ目Ｂは、成形雄金型（又は雌金型）に切れ目形成中子を設けて形成するので、蓋５の周縁５ａ及び餌落ち穴Ｆの内周面Ｆａは型抜き方向に沿う面となり、上殻体４の外周面に対して傾斜し、上殻体４の下部周縁に対して直交する方向の面となっている。蓋５の周縁５ａと餌落ち穴Ｆの内周面Ｆａとの間には切れ目形成中子分の隙間αが形成されている。
【００１７】
上殻体４の内面頂部には下方突出状の突起７が設けられている。この突起７は円筒形状であり、外周面に掛止部７ａが形成されている。前記突起７は、連結部６を介して蓋５を上殻体４の内部に屈曲した際に、蓋５の自由端（連結部６の接続側と反対側）が届く位置にあり、蓋５の自由端は突起７の掛止部７ａに当接することにより、その摩擦抵抗、引っ掛かり抵抗によって掛止され、餌落ち穴Ｆを開放する姿勢が維持される。
【００１８】
蓋５は人指を当てて上殻体４に押し入れることにより突起７の掛止部７ａに係合させることができ、３つの蓋５は突起７から略等距離の位置にあるので、各々を個別に略同一条件で掛止しておくことができ、蓋５による餌落ち穴Ｆを開閉する条件も略等しくなる。
なお、蓋５を掛止部７ａから離脱するには、餌落ち穴Ｆから人指を入れて、蓋５に当てて摩擦抵抗で引き出す他、屈曲している連結部６または蓋５の連結部６との接続部分を人指で摘んで、連結部６を反らし変形させながら蓋５を取り出す。
【００１９】
前記突起７は円柱形状でもよいが、軽量化のために円筒形状に形成されている。上殻体４の頂部には１つの穴９ａが形成され、下殻体３の底部には２つの穴９ｂが形成されている。これらの穴９ａ、９ｂは、軽量化、材料コスト低減、玩具１内の空気循環等に効果的であるが、市販するときの紐通し穴にもなっている。
前記玩具１は、上殻体４を下殻体３から分離しておいて下殻体３内に餌Ｅを収納し、その後に上殻体４を下殻体３に装着する、または下殻体３に装着された上殻体４の餌落ち穴Ｆから餌Ｅを押し込む。ペットの生育度合い、好み等に合わせて、所要数の蓋５を連結部６から折り曲げて、蓋５の先端を掛止部７ａに掛止させて、餌落ち穴Ｆを開放する。ペットは手等で玩具１を引っ掻いて、転がして遊び、転動により餌落ち穴Ｆから餌Ｅを繰り出し、餌Ｅを食する。
【００２０】
ペットの生育、好みの変化等に合わせて、開放する蓋５の個数を変更する。餌落ち穴Ｆが３つであれば、全閉から全開まで４形態を採ることができる。
なお、本発明は前記実施形態に限定されるものではなく、部材の形状、構成及び組み合わせ等を変更したりすることもできる。
例えば、玩具１の全体外形状は、略団栗形状の他に、略卵形状、略球形状又はダルマ形状等の起き上がりこぼし動作可能な形状にしてもよい。
【００２１】
下殻体３は上殻体４と同一肉厚にしておいて、別途底部に錘を設けておいてもよく、また、下殻体３は上殻体４より硬質の合成樹脂で形成することも可能であり、環状の外向き係合部３ａを形成する代わりに雄ネジを形成しておいて、上殻体４の下部と螺合により着脱自在に装着する構造にしてもよい。
上殻体４は外面を小動物の顔、人形の顔等に形成してもよく、餌落ち穴Ｆの個数は２つ又は４つ以上であっても良く、互いの大きさ、位置等を異ならせたりしてもよい。
【００２２】
餌落ち穴Ｆを開閉する蓋５及び突起７の掛止部７ａは、蓋５の中央側に溝又は穴を形成し、開放姿勢の各蓋５に対向可能な上殻体４の内面又は外面に茸形状の突起を設け、突起の茸先端を掛止部７ａとして、開放姿勢の蓋５の溝又は穴を係合するようにしてもよい。
餌落ち穴Ｆを開閉する蓋５は上殻体４と別個に形成して、分離できる蓋５を餌落ち穴Ｆに挿脱する構成としてもよい。その場合は、上殻体４の内面又は外面に、離脱した蓋５を掛止保持する掛止部を設けておくことが好ましい。
【００２３】
上殻体４に穴９ａを２つ以上形成したり、下殻体３に穴９ｂを１つ又は３つ以上形成したり、穴９ａ、９ｂを無くしたりしてもよい。
【符号の説明】
【００２４】
１      玩具
３      下殻体
３ａ    係合部
４      上殻体
４ａ    係合部
４ｂ    テーパ面
５      蓋
５ａ    周縁
６      連結部
７      突起
７ａ    掛止部
９ａ    穴
９ｂ    穴
Ａ      Ｃ型切れ目
Ｂ      平行線切れ目
Ｅ      餌
Ｆ      餌落ち穴
Ｆａ    内周面
Ｔ      肉厚
α      隙間
【図１】
2018126106.tif 000003
【図２】
2018126106.tif 000004
【図３】
2018126106.tif 000005
【図４】
2018126106.tif 000006
【図５】
2018126106.tif 000007
【図６】
2018126106.tif 000008
【図７】
2018126106.tif 000009
【図８】
2018126106.tif 000010